(57)【要約】【課題】直軸状の操作部材を長手方向に移動させることにより板ばねを弾性変形させてフィルタを枠体に押付固定するフィルタ装置において、フィルタ交換時の作業性を向上させる。【解決手段】取付枠（枠体）１のガイドレール１２に回動片７を操作部材５の軸方向と平行な面内で回動可能に取り付け、この回動片７を所定の回動位置まで回動させて係合片８と係合させることにより、突出片６を介して回動片７に押される操作部材５が所定の係止位置まで長手方向移動し、一端部４ａをガイドレール１２に固定され、他端部４ｂを操作部材５に連結された板ばね４が弾性変形してフィルタ２を取付枠１に押付固定する構成とした。この構成によれば、操作部材５を長手方向移動させるのに必要な力が、操作部材に直接力を加える場合に比べて小さくなり、フィルタ交換作業がしやすくなる。【選択図】図４
2018122223.tif 000002
【特許請求の範囲】
【請求項１】
フィルタと、前記フィルタが組み込まれる枠体と、前記フィルタの一面の周縁部を前記枠体のフィルタ受け面に押し付けるフィルタ押付機構とを備えており、
前記フィルタ押付機構は、前記フィルタの他面の周縁部とこれに対向する前記枠体のフィルタ保持面との間に配され、前記枠体またはフィルタに固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された直軸状の操作部材と、前記操作部材を所定の係止位置で係止する係止手段とを備え、前記操作部材を長手方向に移動させて前記係止位置で係止したときに、前記板ばねの傾斜部と前記フィルタの他面とのなす角度が大きくなって、前記板ばねの押圧部で前記フィルタの他面または枠体のフィルタ保持面を押圧するものであるフィルタ装置において、
前記係止手段は、前記枠体またはフィルタに前記操作部材の軸方向と平行な面内で回動可能に取り付けられている回動片と、前記操作部材の外周面から前記回動片の回動軌道内へ突出している突出片と、前記回動片が所定の回動位置にあるときに回動片と係合する係合片と、前記係合片を前記回動位置にある回動片に係合する方向に付勢する付勢ばねとからなるものであり、
前記回動片が前記回動位置で前記係合片と係合することにより、前記突出片を介して回動片に押されて長手方向移動した操作部材が前記係止位置で係止されるようになっていることを特徴とするフィルタ装置。
【請求項２】
前記回動片の係合片との係合部が回動方向に沿って複数形成され、前記操作部材が複数の係止位置で係止可能となっていることを特徴とする請求項１に記載のフィルタ装置。
【請求項３】
請求項１または２に記載のフィルタ装置に組み込まれ、前記板ばね、操作部材および係止手段を備えたフィルタ押付機構と、前記板ばねの一端部が固定され、前記枠体またはフィルタに取り付けられる取付板とからなるフィルタ押付ユニット。
【発明の詳細な説明】
【技術分野】
【０００１】
本発明は、ダクト等の内側に取り付けられる枠体にフィルタを組み込んだフィルタ装置と、そのフィルタを枠体に押付固定するフィルタ押付ユニットに関する。
【背景技術】
【０００２】
ビルや工場の空調や換気に用いられる空気清浄装置は、一般に、フィルタボックスやダクト等の内側（空気通路）に取り付けられる取付枠等の枠体にフィルタを組み込んだフィルタ装置を設け、そのフィルタに対して空気を通過させることにより、空気に含まれている異物をフィルタで捕捉して、空気を清浄化している。そして、そのフィルタ装置では、フィルタが捕捉した異物が増えるにつれて濾過性能が低下するため、定期的にフィルタの交換ができるように、フィルタを枠体に着脱可能に組み込んだものが多い。
【０００３】
ところで、上記のようにフィルタを枠体に着脱可能に組み込んだフィルタ装置では、その濾過性能を確保するために、フィルタの一面の周縁部を枠体のフィルタ受け面に密着させた状態を維持する必要がある。このため、従来は、ネジでフィルタを枠体のフィルタ受け面に固定したり、フィルタ他面と対向するように枠体に固定したばねでフィルタを枠体のフィルタ受け面に押し付けて固定したりしていた。
【０００４】
しかし、ネジを用いる方法では、フィルタを着脱する際に多数のネジの抜き取りおよび締め付けに時間がかかり、フィルタ交換作業が面倒なものとなる。一方、固定のばねを用いる方法では、フィルタの着脱の際に、ばねの弾性力に抗してフィルタの周縁部を枠体のフィルタ受け面とばねとの間に圧入したり引き出したりすることになるので、フィルタの一面の周縁部にガスケット等の気密材を貼り付けている場合、その気密材がフィルタ受け面との間に生じる摺動抵抗によって剥がれてしまい、その補修作業に手間がかかることがある。
【０００５】
これに対し、本出願人は、フィルタの一面の周縁部を枠体のフィルタ受け面に押し付けるフィルタ押付機構として、フィルタの他面の周縁部とこれに対向する枠体のフィルタ保持面との間に配され、枠体またはフィルタに固定される一端部からフィルタの他面に対して傾斜した方向に延びる傾斜部とこの傾斜部の他端側に形成される押圧部を有する板ばねを備え、この板ばねを傾斜部とフィルタ他面とのなす角度が大きくなるように操作部材で弾性変形させて、その押圧部でフィルタの他面または枠体のフィルタ保持面を押圧するものを提案した（特許文献１）。このフィルタ押付機構を採用すれば、ネジや固定のばねを用いてフィルタを枠体に押付固定する方法に比べて容易にフィルタ交換が行えるし、フィルタを着脱する際にフィルタに貼り付けた気密材が剥がれるおそれもない。
【先行技術文献】
【特許文献】
【０００６】
【特許文献１】特許第５８５５３０１号公報
【発明の概要】
【発明が解決しようとする課題】
【０００７】
しかしながら、上記のフィルタ押付機構を採用したフィルタ装置では、フィルタを枠体に装着する際には、板ばねの一端部を除く部位に連結された直軸状の操作部材を長手方向に移動させることにより板ばねを弾性変形させるようになっているため、その板ばねの仕様や弾性変形量によっては、操作部材を長手方向に直接押したり引いたりするのにかなりの力を要する場合があり、フィルタ交換時の作業性の点で改善の余地があった。
【０００８】
そこで、本発明は、上記のフィルタ押付機構を採用したフィルタ装置において、フィルタ交換時の作業性を向上させることを課題とする。
【課題を解決するための手段】
【０００９】
上記の課題を解決するために、本発明は、フィルタと、前記フィルタが組み込まれる枠体と、前記フィルタの一面の周縁部を前記枠体のフィルタ受け面に押し付けるフィルタ押付機構とを備えており、前記フィルタ押付機構は、前記フィルタの他面の周縁部とこれに対向する前記枠体のフィルタ保持面との間に配され、前記枠体またはフィルタに固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された直軸状の操作部材と、前記操作部材を所定の係止位置で係止する係止手段とを備え、前記操作部材を長手方向に移動させて前記係止位置で係止したときに、前記板ばねの傾斜部と前記フィルタの他面とのなす角度が大きくなって、前記板ばねの押圧部で前記フィルタの他面または枠体のフィルタ保持面を押圧するものであるフィルタ装置において、前記係止手段は、前記枠体またはフィルタに前記操作部材の軸方向と平行な面内で回動可能に取り付けられている回動片と、前記操作部材の外周面から前記回動片の回動軌道内へ突出している突出片と、前記回動片が所定の回動位置にあるときに回動片と係合する係合片と、前記係合片を前記回動位置にある回動片に係合する方向に付勢する付勢ばねとからなるものであり、前記回動片が前記回動位置で前記係合片と係合することにより、前記突出片を介して回動片に押されて長手方向移動した操作部材が前記係止位置で係止されるようになっている構成を採用した。
【００１０】
すなわち、フィルタを枠体に装着するときは、回動片を係合片と係合していない初期位置から所定の回動位置まで回動させることによって、直軸状の操作部材を所定の係止位置まで長手方向移動させて係止することができ、フィルタを枠体から取り外すときは、回動片と係合片との係合を付勢ばねの弾性力に抗して解除するだけで、板ばねの弾性復元によって回動片および操作部材を元の位置に戻せるようにしたのである。この構成によれば、フィルタ装着時の操作部材の長手方向移動は、回動片を回動させることによって行われるので、操作部材に直接力を加える場合に比べて、てこの原理を利用できる分、必要な力が小さくなる。また、フィルタ取り外し時も、回動片と係合片との係合の解除は小さな力で容易に行うことができる。
【００１１】
さらに、前記回動片の係合片との係合部が回動方向に沿って複数形成され、前記操作部材が複数の係止位置で係止可能となっている構成を採用すれば、フィルタを厚み寸法の異なるものに交換したときや、フィルタに貼り付けられたガスケット等の気密材が経時劣化したときに、操作部材の係止位置を変えることにより、板ばねの弾性変形の大きさを調整して、適切な締め付け強度でフィルタとフィルタ受け面とを密着させ、濾過性能を確保することができる。
【００１２】
そして、上述したフィルタ装置に組み込まれ、前記板ばね、操作部材および係止手段を備えたフィルタ押付機構と、前記板ばねの一端部が固定され、前記枠体またはフィルタに取り付けられる取付板とからなる本発明のフィルタ押付ユニットは、種々の仕様のフィルタ装置に組み込める汎用性の高いものとなるので、このフィルタ押付ユニットを組み込むことによりフィルタ装置全体の製作コストの低減が図れる。
【発明の効果】
【００１３】
本発明のフィルタ装置は、上述したように、フィルタ装着時には、フィルタ押付機構の回動片を回動させることにより、回動片で操作部材から突出する突出片を押して操作部材を長手方向移動させ、操作部材に連結された板ばねを弾性変形させてフィルタを枠体に押付固定するようにしたものであるから、操作部材を直接押したり引いたりして長手方向移動させる構成のものに比べて、小さな力で楽に作業でき、フィルタ交換時の作業性の向上を図ることができる。
【００１４】
また、本発明のフィルタ押付ユニットは、上述したフィルタ押付機構と枠体またはフィルタに取り付けられる取付板とからなるものであるから、種々の仕様のフィルタ装置に組み込んで、そのフィルタ装置全体の製作コストの低減を図ることができるし、既製のフィルタ装置に後付けしてそのフィルタ装置の濾過性能を向上させることができる。
【図面の簡単な説明】
【００１５】
【図１】第１実施形態のフィルタ装置の分解斜視図
【図２】図１のフィルタ押付機構の要部の分解斜視図
【図３】ａは図１のフィルタ押付機構の組込部分の横断平面図、ｂはａのガイドレール前面を除いた正面断面図
【図４】ａ、ｂは、それぞれ図３に対応するフィルタ装着動作の説明図
【図５】図３（ａ）および図４（ａ）に対応するフィルタ取り外し動作の説明図
【図６】第２実施形態のフィルタ装置に組み込まれるフィルタの要部の外観斜視図
【図７】図６のフィルタ押付ユニットを拡大して示す外観斜視図
【図８】図６のフィルタ装置のフィルタ押付ユニット組込部分の横断平面図
【図９】第３実施形態のフィルタ装置のフィルタを除いた外観斜視図
【図１０】図９のフィルタ装置のフィルタ押付ユニット組込部分の横断平面図
【図１１】図１０の正面断面図
【発明を実施するための形態】
【００１６】
以下、図面に基づき、本発明の実施形態を説明する。図１乃至図５は第１の実施形態を示す。このフィルタ装置は、図１に示すように、前面から後面に空気を通す取付枠（枠体）１と、取付枠１に着脱可能に組み込まれるフィルタ２とを備えている。
【００１７】
前記取付枠１は、矩形の開口を有する平板状の取付部１１の前面に矩形枠状のガイドレール１２を固定したものであり、その取付部１１で図示省略したフィルタボックスやダクト等の内側（空気通路）に取り付けられるようになっている。そのガイドレール１２は、上辺部および下辺部が断面略Ｊ字形に形成され、両側辺部が帯板状に形成されている。
【００１８】
この取付枠１にフィルタ２を装着する際には、フィルタ２を後面側へ傾けて（図１参照）その上縁部を取付枠１の前面側からガイドレール１２の上辺部の内側へ差し込んだ後、フィルタ２を取付枠１と平行にしてその下縁部をガイドレール１２の下辺部の内側へ落とし込む。なお、このようなフィルタ２の取付枠１への組込方式は、一般にケンドン式と呼ばれる。
【００１９】
前記ガイドレール１２の上辺部と下辺部の内側に、フィルタ２の後面（一面）の周縁部を取付枠１のフィルタ受け面１３となる取付部１１前面に押し付けるフィルタ押付機構３が設けられている。
【００２０】
前記フィルタ２は、矩形板状に形成された濾材２１（図３（ａ）参照）の周縁部を矩形のフィルタ枠２２で覆ったもので、濾材２１の前面には補強用線材２３を後面には補強用の金属製網（図示省略）をそれぞれ配して、空気が通過するときに濾材２１がフィルタ枠２２から抜け落ちないようにしている。また、フィルタ枠２２の後面側の側壁の外側面には、取付枠１のフィルタ受け面１３との間をシールするガスケット２４が貼り付けられている。
【００２１】
前記フィルタ押付機構３は、図２および図３（ａ）、（ｂ）に示すように、フィルタ２の前面（他面）の周縁部（フィルタ枠２２の前面）とこれに対向する取付枠１のフィルタ保持面１４となるガイドレール１２の上下辺部の内側面との間に配され、そのフィルタ保持面１４に一端部４ａを固定される板ばね４と、板ばね４の長手方向に沿って延びるように配される丸棒状（直軸状）の操作部材５と、操作部材５の軸方向中央部の外周から突出する突出片６と、ガイドレール１２の上下辺部に操作部材５の軸方向と平行な面内で回動可能に取り付けられている回動片７と、回動片７と係合する係合片８と、係合片８と一体形成されて係合片８を回動片７に係合する方向に付勢する付勢ばね９と、操作部材５を通してその長手方向移動を案内するガイド片１０とからなる。なお、板ばね４は、図２および図３では１つだけ図示しているが、実際には取付枠１の幅方向の２箇所に配されている（図１参照）。
【００２２】
前記各板ばね４は、取付枠１のフィルタ保持面１４に固定される一端部４ａとフィルタ２前面に対して垂直に延びる他端部４ｂとの間に、フィルタ２前面に向かって凸となる湾曲部４ｃが形成されている。その湾曲部４ｃは、両端部４ａ、４ｂからフィルタ２の前面に対して傾斜した方向に延びる傾斜部と、両傾斜部の間で後述するようにフィルタ２前面を押圧する押圧部とからなる。また、湾曲部４ｃの両端近傍位置および他端部４ｂには、それぞれ操作部材５を通す長孔４ｄ、４ｅおよび円形孔４ｆが設けられている。そして、湾曲部４ｃの長孔４ｄ、４ｅは、操作部材５の外径とほぼ同じ幅で板ばね４の長手方向に延びており、湾曲部４ｃの弾性変形に合わせて操作部材５を通す位置を変えながら、操作部材５の板ばね４幅方向の動きを規制して、操作部材５の長手方向移動を案内するようになっている。
【００２３】
前記操作部材５は、長手方向の２箇所に鍔部５ａが設けられており、この鍔部５ａが板ばね４の他端部４ｂの円形孔４ｆの周縁部に接着されることによって各板ばね４と連結されている。そして、操作部材５の外周面に設けられた突出片６が回動片７の回動軌道内へ突出しており、後述するように回動片７を回動させると、回動片７が突出片６を押すことにより操作部材５が長手方向移動して、各板ばね４が弾性変形するようになっている。また、ガイドレール１２の上下辺部の前面の側壁には、操作部材５の長手方向に延び、突出片６の先端部が挿入される長孔１２ａが設けられており、この長孔１２ａで突出片６が操作部材５の軸心まわりの回転を規制されることにより、回動片７を回動させたときに操作部材５がスムーズに長手方向移動するようになっている。
【００２４】
前記回動片７は、帯板状に形成されており、一端部にガイドレール１２の上下辺部への取付孔７ａがあけられ、他端部から厚み方向に延びるつまみ７ｂを有している。また、その長手方向中央部には回動方向に沿って複数の係合孔（係合部）７ｃがあけられ、これらの係合孔７ｃのうちの一つで後述するように係合片８と係合するようになっている。そして、全体としてガイドレール１２の前面と平行な姿勢でガイドレール１２に設けられたスリット１２ｂを貫通し、一端部が取付枠１のフィルタ保持面１４（ガイドレール１２の内側面）に回動可能に取り付けられて、つまみ７ｂを含む他端側をガイドレール１２から突出させた状態で、所定範囲で回動するようになっている。
【００２５】
前記係合片８は、平面形状が鉤型で、回動片７の係合孔７ｃに挿入される爪８ａを有しており、前述のように付勢ばね９と一体に形成されている。付勢ばね９は、帯板を長手方向の２箇所で所定角度に折り曲げたもので、一端部が取付枠１のフィルタ保持面１４に固定されて、その曲げ角度が大きくなる方向に弾性変形した状態で、他端部の側縁から厚み方向に延びる係合片８の爪８ａをフィルタ保持面１４に押し付けている。そして、回動片７が図３に示す初期位置から所定の回動位置に移動すると、係合片８の爪８ａが回動片７の係合孔７ｃに嵌まり込んで、係合片８と回動片７とが係合するようになっている（図４参照）。また、回動片７が係合片８と係合すると、同時に、回動片７に突出片６を介して押される操作部材５も停止する。すなわち、上述した突出片６、回動片７、係合片８および付勢ばね９の各部品により、操作部材５を所定の係止位置で係止する係止手段が構成されている。
【００２６】
また、前記付勢ばね９の長手方向中央部には、その側縁から厚み方向に延び、先端で幅方向に折り曲げられたＬ字状の解除部９ａが設けられ、この解除部９ａを付勢ばね９の弾性力に抗してフィルタ２側へ押すことにより、係合片８と回動片７との係合が解除されるようになっている（図５参照）。
【００２７】
次に、図３乃至図５に基づいて、このフィルタ装置のフィルタ着脱動作について説明する。フィルタ２を取付枠１に装着するときは、フィルタ押付機構３の操作部材５および回動片７が初期位置にある状態で、前述のように、取付枠１の前面側からフィルタ２の上縁部をガイドレール１２の上辺部の内側に挿入した後、フィルタ２の下縁部をガイドレール１２の下辺部の内側へ挿入する。このとき、フィルタ押付機構３はフィルタ２と干渉しないので、フィルタ２をスムーズに取付枠１にセットすることができる。
【００２８】
そして、図３の状態から、フィルタ押付機構３の回動片７のつまみ７ｂを指でつまんで回動片７を所定の回動位置まで回動させると、図４（ａ）、（ｂ）に示すように、回動片７がその回動軌道内へ突出している突出片６を押すことにより、突出片６と一体の操作部材５が長手方向移動した後、回動片７の複数の係合孔７ｃのうちの一つに係合片８の爪８ａが嵌まり込んで、係合片８と回動片７とが係合すると同時に、操作部材５が所定の係止位置で係止される。
【００２９】
このとき、フィルタ押付機構３の各板ばね４は、操作部材５の長手方向移動に伴って、操作部材５に連結された他端部４ｂが取付枠１のフィルタ保持面１４に固定された一端部４ａに近づき、湾曲部４ｃの湾曲が大きくなって、その湾曲部４ｃでフィルタ２の前面を押圧する。すなわち、板ばね４は、弾性変形によって、湾曲部４ｃのうちの傾斜部とフィルタ２前面とのなす角度が大きくなって、両傾斜部の間の押圧部でフィルタ２のフィルタ枠２２の前面を押圧する。これにより、フィルタ２のフィルタ枠２２の後面に設けられたガスケット２４が取付枠１のフィルタ受け面１３に押し付けられた状態でフィルタ２が取付枠１に固定され、フィルタ２の装着が完了する。
【００３０】
一方、フィルタ２を取付枠１から取り外すときには、図４の状態から、図５に示すように、付勢ばね９の解除部９ａを付勢ばね９の弾性力に抗してフィルタ２側へ押して、係合片８の爪８ａを回動片７の係合孔７ｃから脱出させる。これにより、係合片８と回動片７との係合が解除されると同時に、操作部材５の係止状態が解除され、各板ばね４の湾曲部４ｃが弾性復元して自動的に図３の状態に戻るので、フィルタ２の取付枠１への押し付け状態も解除される。その後、フィルタ２を装着時と逆の動作で取付枠１から取り出せばよい。
【００３１】
このフィルタ装置は、上述したように、フィルタ押付機構３の板ばね４の湾曲部４ｃの湾曲を大きくしてフィルタ２を取付枠１のフィルタ受け面１３に押し付けるようにしたものであり、ネジや固定のばねを用いてフィルタの押付固定を行うものに比べて容易にフィルタ２の交換が行えるし、フィルタ２を着脱する際にフィルタ２に貼り付けたガスケット２４が剥がれるおそれもない。
【００３２】
しかも、フィルタ装着時には、フィルタ押付機構３の回動片７を回動させることにより、回動片７で操作部材５から突出する突出片６を押して操作部材５を長手方向移動させ、操作部材５に連結された板ばね４を弾性変形させるようにしているので、操作部材に直接力を加える構成のものに比べて、てこの原理を利用できる分、小さな力で楽に作業することができる。
【００３３】
さらに、回動片７には係合片８と係合する係合孔７ｃが複数形成され、操作部材５が複数の係止位置で係止可能となっているので、ガスケット２４を含むフィルタ２を厚み寸法の異なるものに交換したときや、使用中にガスケット２４が経時劣化したときに、操作部材５の係止位置を変えることにより、板ばね４の湾曲部４ｃの湾曲量を調整して、適切な締め付け強度でフィルタ２とフィルタ受け面１３とを密着させ、濾過性能を確保することができる。
【００３４】
なお、上述した第１実施形態では、フィルタ押付機構３の板ばね４の一端部を取付枠１のフィルタ保持面１４に固定して、その湾曲部４ｃでフィルタ２のフィルタ枠２２の前面を押圧するようにしたが、板ばね４の一端部をフィルタ枠２２の前面に固定して、その湾曲部４ｃで取付枠１のフィルタ保持面１４を押圧するようにしてもよい。
【００３５】
図６乃至図８は第２の実施形態を示す。なお、第１実施形態と同じ機能を有する部材には同じ符号を付けて説明を省略する（後述する第３実施形態についても同じ）。この第２実施形態は、図６に示すように、第１実施形態のフィルタ２のフィルタ枠２２の前面に、フィルタ押付機構３に代わるフィルタ押付ユニット４０を固定したものである。
【００３６】
このフィルタ押付ユニット４０は、図７に示すように、第１実施形態のフィルタ押付機構３の板ばね４、操作部材５およびその係止手段と、板ばね４の一端部４ａが固定され、フィルタ２のフィルタ枠２２に取り付けられる取付板４１とをユニット化したものである。取付板４１は、帯板状のもので、その一側縁部が一面側へ折り曲げられている。
【００３７】
具体的には、取付板４１の一面側に、第１実施形態のフィルタ押付機構３の２つの板ばね４、係合片８と一体の付勢ばね９および２つのガイド片１０をそれぞれ固定するとともに、回動片７を回動自在に取り付け、操作部材５は、第１実施形態と同様に各板ばね４の長孔４ｄ、４ｅおよび各ガイド片１０に通して各板ばね４に連結している。
【００３８】
また、取付板４１には、第１実施形態のガイドレール１２の上下辺部に設けていた長孔１２ａとスリット１２ｂに代わる長孔４１ａとスリット４１ｂが設けられており、その長孔４１ａに操作部材５の外周から突出する突出片６の先端部が挿入され、スリット４１ｂを回動片７が貫通している。
【００３９】
そして、取付板４１は、他面側にマグネットテープ４２が図示省略した両面テープで貼り付けられており、このマグネットテープ４２で鋼製のフィルタ枠２２に取り付けられるようになっている。なお、取付板４１のフィルタ枠２２への取付手段としては、両面テープあるいは接着剤による貼り付けや溶接等も採用することができる。
【００４０】
この第２実施形態のフィルタ装置のフィルタ着脱動作は第１実施形態と同様に行うことができる。すなわち、フィルタ２装着時は、フィルタ２をケンドン式で取付枠１にセットした後、回動片７を所定の回動位置まで移動させる。すると、図８に示すように、回動片７に押される突出片６と一体の操作部材５が長手方向移動し、回動片７が係合片８と係合して操作部材５が所定の係止位置で係止されるとともに、各板ばね４の湾曲部４ｃの湾曲が大きくなって、その湾曲部４ｃでガイドレール１２の上下辺部の内側面を押圧する。これにより、フィルタ２後面のガスケット２４が取付枠１のフィルタ受け面１３に押し付けられ、フィルタ２が取付枠１に固定される。
【００４１】
また、フィルタ２取り外し時は、付勢ばね９の解除部９ａをガイドレール１２側へ引いて、係合片８と回動片７との係合を解除する。すると、同時に操作部材５の係止状態が解除され、各板ばね４の湾曲部４ｃが弾性復元して、フィルタ２の取付枠１への押し付け状態も解除されるので、フィルタ２を装着時と逆の動作で取付枠１から取り出すことができる。
【００４２】
この第２実施形態のように、フィルタ押付機構３を取付板４１とともにユニット化したフィルタ押付ユニット４０を用いることにより、フィルタ装置の組み立てが容易になる。また、フィルタ押付ユニット４０は種々の仕様のフィルタ装置に組み込める汎用性の高いものとなるので、フィルタ装置全体の製作コストの低減が図れる。
【００４３】
なお、第２実施形態ではフィルタ押付ユニット４０をフィルタ２のフィルタ枠２２に取り付けたが、取付枠１（具体的にはガイドレール１２の上下辺部）に取り付けることもできる。その場合は、ガイドレール１２の上下辺部を断面Ｌ字状に形成するとともに、フィルタ押付ユニット４０の取付板４１の折曲部の幅を広く形成して、この折曲部に固定したＬ字状の取付片と取付板４１とでガイドレール１２の上下辺部の前面側壁を弾性的に挟み付けるようにすれば、フィルタ押付ユニット４０が取付枠１に容易に脱着できるものとなる。
【００４４】
図９乃至図１１は第３の実施形態を示す。この実施形態のフィルタ装置は、図９に示すように、矩形の開口を有する取付部１１の後面に、前面から見て左側が解放されたコの字状のガイドレール１２を固定した取付枠１を用い、その取付枠１の左側方からガイドレール１２のなすコの字の内側へ図示省略したフィルタをスライドさせてセットするスライド式のものである。
【００４５】
前記ガイドレール１２は、上辺部および下辺部が断面略Ｌ字形に、右側辺部が帯板状にそれぞれ形成されており、その上辺部と下辺部の内側にフィルタ押付ユニット５０が固定されている。各フィルタ押付ユニット５０は、第２実施形態のフィルタ押付ユニット４０の構成の一部を、スライド式のフィルタ装置に適応するように変更したものである。
【００４６】
すなわち、この第３実施形態のフィルタ押付ユニット５０では、取付枠１にフィルタを着脱する際に作業者が取付枠１の左側方から操作できるように、操作部材５を所定の係止位置で係止する係止手段を取付板４１の長手方向の左側端付近に設けており、合わせてその係止手段を構成する各部品の形状の一部を第２実施形態から変更している。
【００４７】
具体的には、図１０および図１１に示すように、操作部材５の外周から突出する突出片６、回動片７、係合片８および付勢ばね９が取付板４１の左側端付近に設けられ、これに伴って突出片６の先端部が挿入される取付板４１の長孔４１ａおよび回動片７が貫通する取付板４１のスリット４１ｂの位置も変更されている。その回動片７は、くの字状に形成され、取付板４１のスリット４１ｂから突出する部分に、第２実施形態のつまみ７ｂに代わる押圧部７ｄが形成されている。また、係合片８は、回動片７の係合孔７ｃに挿入される爪８ａが長手方向の中央部に形成され、第２実施形態の付勢ばね９の解除部９ａの代わりに、取付板４１に対して前後に傾いた解除部８ｂが、取付板４１の左側端から一部突出する状態で形成されている。
【００４８】
この第３実施形態のフィルタ装置におけるフィルタ着脱動作は、フィルタ２を取付枠１へセットする方式および作業者がフィルタ押付ユニット５０を操作する位置が第２実施形態と異なるが、それ以外は基本的に第２実施形態と同様に行うことができる。すなわち、フィルタ２装着時は、図１０および図１１中の一点鎖線で示すように、回動片７の押圧部７ｄを押して回動片７を所定の回動位置まで移動させることにより、回動片７に押される突出片６と一体の操作部材５が長手方向移動し、回動片７が係合片８と係合して操作部材５が所定の係止位置で係止されるとともに、各板ばね４の湾曲部４ｃの湾曲が大きくなって、その湾曲部４ｃでフィルタ２を取付枠１のフィルタ受け面１３に押し付けることができる。
【００４９】
また、フィルタ２取り外し時は、係合片８の解除部８ｂを取付枠１の取付部１１側へ引いて、係合片８と回動片７との係合を解除することにより、操作部材５の係止状態が解除され、各板ばね４の湾曲部４ｃが弾性復元して、フィルタ２の取付枠１への押し付け状態も解除されるので、フィルタ２を装着時と逆の動作で取付枠１から取り出せる。
【００５０】
この第３実施形態では、第２実施形態と同様の構成のフィルタ押付ユニット５０を用いているので、スライド式のフィルタ装置の組み立てが容易になるし、フィルタ装置全体の製作コストの低減が図れる。
【００５１】
なお、上述した第１、第２実施形態はケンドン式のフィルタ装置の例、第３実施形態はスライド式のフィルタ装置の例であるが、本発明は、フィルタが組み込まれるケーシング（枠体）に設けた開口部を扉で開閉するタイプのフィルタ装置にももちろん適用できる。
【００５２】
また、フィルタ押付機構の板ばねは、各実施形態のように一端部と他端部の間に湾曲部が形成されたものに限らず、例えば実施形態の板ばね４の他端部４ｂをなくし、一端部４ａの近傍で操作部材５に連結されるようにしたもの等、一端部からフィルタの他面に対して傾斜した方向に延びる傾斜部を有し、一端部を除く部位で操作部材に連結され、傾斜部とフィルタ他面とのなす角度が大きくなったときに、傾斜部の他端側に形成された押圧部で、フィルタの他面または枠体のフィルタ保持面を押圧するようになっているものであればよい。
【符号の説明】
【００５３】
１  取付枠（枠体）
２  フィルタ
３  フィルタ押付機構
４  板ばね
４ａ  一端部
４ｂ  他端部
４ｃ  湾曲部
５  操作部材
６  突出片
７  回動片
７ｂ  つまみ
７ｃ  係合孔（係合部）
７ｄ  押圧部
８  係合片
８ａ  爪
８ｂ  解除部
９  付勢ばね
９ａ  解除部
１０  ガイド片
１１  取付部
１２  ガイドレール
１３  フィルタ受け面
１４  フィルタ保持面
２１  濾材
２２  フィルタ枠
２４  ガスケット
４０  フィルタ押付ユニット
４１  取付板
５０  フィルタ押付ユニット
【図１】
2018122223.tif 000003
【図２】
2018122223.tif 000004
【図３】
2018122223.tif 000005
【図４】
2018122223.tif 000006
【図５】
2018122223.tif 000007
【図６】
2018122223.tif 000008
【図７】
2018122223.tif 000009
【図８】
2018122223.tif 000010
【図９】
2018122223.tif 000011
【図１０】
2018122223.tif 000012
【図１１】
2018122223.tif 000013